(57)【要約】      （修正有）【課題】コンパクトで安価なカード処理機能付き印刷装置を提供する。【解決手段】カード処理機能付き印刷装置１０は、ロール紙１を搬送する用紙搬送経路３と、用紙搬送経路３に隣接して設けられてロール紙１に対して印刷を行う印刷機構６と、ＩＣカード２を搬送するカード搬送経路４と、カード搬送経路４に隣接して設けられてＩＣカード２に対して情報の読み書き処理を行うカードリーダ／ライタ７と、を備える。用紙搬送経路３とカード搬送経路４の一部が共通経路５として構成されると共に、共通経路５にＩＣカード２が搬送される際には、用紙退避手段により共通経路５上からロール紙１を退避させる。【選択図】図１
2008074104.tif 000002
【特許請求の範囲】
【請求項１】
ロール紙を搬送する用紙搬送経路と、この用紙搬送経路に隣接して設けられて前記ロール紙に対して印刷を行う印刷機構と、カード型情報記録媒体を搬送するカード搬送経路と、このカード搬送経路に隣接して設けられて前記カード型情報記録媒体に対して情報の読み書きの少なくともいずれかの処理を行うカード処理機構と、を備えており、
前記用紙搬送経路と前記カード搬送経路の少なくとも一部が共通経路として構成されると共に、前記共通経路に前記カード型情報記録媒体が搬送される際には、その共通経路上から前記ロール紙を退避させる用紙退避手段が設けられていることを特徴とするカード処理機能付き印刷装置。
【請求項２】
前記印刷機構が、前記共通経路上に設けられていることを特徴とする請求項１に記載のカード処理機能付き印刷装置。
【請求項３】
前記印刷機構が、ロール紙に熱を加えて印刷するサーマルヘッドと、このサーマルヘッドとの間にロール紙を挟んで搬送するプラテンローラとを備えており、
前記プラテンローラが、前記用紙搬送経路と前記カード搬送経路とに共通の搬送機構部品として構成されていることを特徴とする請求項２に記載のカード処理機能付き印刷装置。
【請求項４】
前記プラテンローラとの間で前記ロール紙又は前記カード型情報記録媒体を挟持する挟持位置と前記プラテンローラから離れる離間位置とに、前記サーマルヘッドを切り換えるヘッド位置切換手段が設けられていることを特徴とする請求項３に記載のカード処理機能付き印刷装置。
【請求項５】
前記カード型情報記録媒体として、前記サーマルヘッドにより可視情報の記録及び消去が可能な可逆的感熱記録層を備えたカードを使用すると共に、
前記カード型情報記録媒体が前記共通経路に搬入された際には、前記サーマルヘッドに前記可視情報の消去動作を行わせ、前記共通経路から搬出された際には、前記サーマルヘッドに前記可視情報の記録動作を行わせるヘッド制御手段を設けたことを特徴とする請求項３又は請求項４に記載のカード処理機能付き印刷装置。
【請求項６】
ＰＯＳサーバと、少なくとも１台のＰＯＳ端末、無人端末及びユーザー端末とをネットワークを介して接続したＰＯＳシステムにおいて、
前記ＰＯＳ端末及び無人端末に接続されたプリンタには、サーマルヘッドにより可視情報の記録及び消去が可能な可逆的感熱記録層を備えたカードの可逆的感熱記録層に、ユーザーの購買情報の少なくとも一部と決済番号を可視的に記録する記録手段を備え、
前記ユーザー端末、無人端末若しくはＰＯＳ端末からの、ユーザーによる前記決済番号をアクセスキーとした前記ＰＯＳサーバへのアクセスを可能とすることを特徴とするＰＯＳシステム。
【請求項７】
前記ＰＯＳサーバには、ＰＯＳ端末におけるユーザーに対するレシートの発行を省略した旨の情報を記録し、
前記ユーザー端末、無人端末若しくはＰＯＳ端末からの、ユーザーによる前記決済番号をアクセスキーとしたレシートの発行要求に際して、既にレシートを発行済みか否かを明記したレシートを発行することを特徴とする請求項６に記載のＰＯＳシステム。
【請求項８】
前記ＰＯＳサーバには、ユーザー情報データベース、購買情報データベースと、家計簿ソフト若しくはカロリー計算、税金計算等のアプリケーションソフトを備え、
前記ユーザー端末からの、ユーザーによる前記決済番号をアクセスキーとした家計簿若しくはカロリー計算、税金計算等のアプリケーションソフトのダウンロード要求に際して、ユーザー端末に対して、要求されたソフトをダウンロードすると共に、ユーザーの購買情報に基づく処理を実行し、ユーザーの購買情報のダウンロード要求のみに際してはユーザーの購買情報に基づく処理を実行することを特徴とする請求項６に記載のＰＯＳシステム。
【請求項９】
前記ＰＯＳサーバには、ユーザー情報データベース、購買情報データベースとを備え、
前記ユーザー情報データベース及び購買情報データベースにより、ユーザーの層別に応じた商品の品目／品名／日時／数量／値段等の商品分析を実行することを特徴とする請求項６に記載のＰＯＳシステム。
【請求項１０】
前記請求項６〜９のいずれか１項に記載のＰＯＳシステムにおいて、
前記ＰＯＳ端末若しくは無人端末に接続される印刷装置として、前記請求項１〜５のいずれか１項に記載の印刷装置を用いたことを特徴とするＰＯＳシステム。
【請求項１１】
ＰＯＳサーバと、少なくとも１台のＰＯＳ端末、無人端末及びユーザー端末とをネットワークを介して接続したＰＯＳシステムのレシート発行方法において、
前記ＰＯＳ端末及び無人端末に接続されるプリンタは、サーマルヘッドにより可視情報の記録及び消去が可能な可逆的感熱記録層を備えたカードを処理可能な構成とし、
前記ＰＯＳシステムにおけるユーザーの購買に伴うレシートの発行処理時に、
前記カードの可逆的感熱記録層に、ユーザーの購買情報の少なくとも一部と決済番号を可視的に記録するステップと、
ユーザーの希望に応じてレシートの発行の有無を判断するステップと、
ユーザーがレシートの発行を希望する場合には、レシート発行済み情報を前記ＰＯＳサーバに記録して、レシートを発行するステップと、
を含むことを特徴とするＰＯＳシステムのレシート発行方法。
【請求項１２】
前記ユーザー端末、無人端末若しくはＰＯＳ端末から、ユーザーによる前記決済番号をアクセスキーとした前記ＰＯＳサーバへアクセスするステップと、
ユーザーによるレシート発行要求を入力するステップと、
既にレシートを発行済みか否かを明記したレシートを発行するステップと、
を更に含むことを特徴とする請求項１１に記載のＰＯＳシステムのレシート発行方法。
【請求項１３】
前記ユーザー端末、無人端末若しくはＰＯＳ端末から、ユーザーによる前記決済番号をアクセスキーとした前記ＰＯＳサーバへアクセスするステップと、
ユーザーによる家計簿若しくはカロリー計算、税金計算等のアプリケーションソフトのダウンロード要求を入力するステップと、
ユーザーの購買情報を取り込んだ家計簿若しくはカロリー計算、税金計算等のアプリケーションソフトをダウンロードするステップと、
ユーザーによるユーザーの購買情報のみのダウンロード要求を入力するステップと、
ユーザーの購買情報を家計簿若しくはカロリー計算、税金計算等のアプリケーションソフトへダウンロードするステップと、を更に含むことを特徴とする請求項１１に記載のＰＯＳシステムのレシート発行方法。
【請求項１４】
ＰＯＳサーバと、少なくとも１台のＰＯＳ端末、無人端末及びユーザー端末とをネットワークを介して接続したＰＯＳシステムにおけるＰＯＳシステム用プログラムであって、
前記ＰＯＳサーバ、ＰＯＳ端末、無人端末及びユーザー端末のいずれかに含まれるコンピュータに、前記請求項１１〜１３のいずれか１項における処理を実行させることを特徴とするＰＯＳシステム用プログラム。
【発明の詳細な説明】
【技術分野】
【０００１】
本発明は、ＩＣカードや磁気カード等のカード型情報記録媒体に対してカード処理（情報の読み書き）を行うカード処理機構を備えると共に、ロール紙等の印刷用紙に印刷を行う印刷機構を備えたカード処理機能付き印刷装置に関する。
また、上記印刷装置で処理される可逆的感熱記録層を備えたカードを有効利用するＰＯＳシステム、ＰＯＳシステムのレシート発行方法及びＰＯＳプログラムに関する。
【背景技術】
【０００２】
近年、店舗等においては、各種の取り引きやサービスの取り扱いにＩＣカードや磁気カード等のカード型情報記録媒体が使用されることが多くなってきた。
また、ユーザーに対してのレシートの提供は従来より一般に行われているので、店舗には通常、カードの取り扱いを行うためのカードリーダ／ライタやレシートプリンタ等が備わっている。
【０００３】
そこで従来より、この種のカードリーダ／ライタ（カード処理機構）やレシートプリンタ（印刷機構）を１台の装置に組み込む試みがなされている（例えば、特許文献１、特許文献２参照）。
この様な１台の装置に、カードリーダ／ライタやレシートプリンタ等を組み込んだ場合、設置スペースや装置コストの面で有利になる上、ホストコンピュータとの信号の送受信が楽に行えるようになる等の利点が得られるからである。
【特許文献１】特開平６−３５９４７号公報
【特許文献２】特開平７−２４４７５２号公報
【発明の開示】
【発明が解決しようとする課題】
【０００４】
ところで、カード処理機構や印刷機構を一緒に組み込んだ従来の装置では、カードとロール紙という取り扱い媒体の形態の違いにより、これらの搬送系を別々に設けているのが一般的である。特に、レシート等に使用するロール紙を印刷用紙とする場合は、ロール紙が連続して供給されるという特殊事情から、搬送系を全く別に設けているのが現状である。
しかしながら、カードの搬送系とロール紙の搬送系を別々に設けたのでは、装置全体のコンパクト化が難しく、カード処理機構や印刷機構を一体化することによるコスト面でのメリットが出難いという問題がある。
従って、本発明の目的は上記課題を解消することに係り、コンパクトで安価なカード処理機能付き印刷装置を提供することである。
【課題を解決するための手段】
【０００５】
本発明の上記目的は、ロール紙を搬送する用紙搬送経路と、この用紙搬送経路に隣接して設けられて前記ロール紙に対して印刷を行う印刷機構と、カード型情報記録媒体を搬送するカード搬送経路と、このカード搬送経路に隣接して設けられて前記カード型情報記録媒体に対して情報の読み書きの少なくともいずれかの処理を行うカード処理機構と、を備えており、前記用紙搬送経路と前記カード搬送経路の少なくとも一部が共通経路として構成されると共に、前記共通経路に前記カード型情報記録媒体が搬送される際には、その共通経路上から前記ロール紙を退避させる用紙退避手段が設けられていることを特徴とするカード処理機能付き印刷装置により達成される。
【０００６】
上記構成によれば、ロール紙を搬送する用紙搬送経路とカード型情報記録媒体を搬送するカード搬送経路の少なくとも一部が共通経路として構成されているので、全く別々に用紙搬送経路とカード搬送経路をレイアウトする場合と違って、共通経路がある分だけ搬送経路をコンパクトにレイアウトすることができ、カード処理機能付き印刷装置の小型化が可能となる。
また、共通経路の範囲において搬送機構部品の共有が可能となるので、部品点数の削減によるコスト低減が図れる。更に、共通経路を使用してカード型情報記録媒体を搬送する際には、ロール紙を共通経路から退避させるので、ロール紙を使用しながらもカード型情報記録媒体の搬送に支障が生じることがない。
【０００７】
尚、好ましくは前記印刷機構が、前記共通経路上に設けられていることを特徴とする。
この場合、印刷機構に対してカード型情報記録媒体を通過させることができるので、表面に印刷可能なカード型情報記録媒体を用いれば、印刷機構によってカード型情報記録媒体に印刷することも可能となる。つまり、カード型情報記録媒体に対して何らかの可視情報の印刷が可能となる。
【０００８】
又、好ましくは前記印刷機構が、ロール紙に熱を加えて印刷するサーマルヘッドと、このサーマルヘッドとの間にロール紙を挟んで搬送するプラテンローラとを備えており、
前記プラテンローラが、前記用紙搬送経路と前記カード搬送経路とに共通の搬送機構部品として構成されていることを特徴とする。
この場合、印刷機構にサーマルヘッドを使用するので、カード型情報記録媒体に感熱記録部を設けておけば、サーマルヘッドによってこの感熱記録部に印刷することが可能となる。また、印刷機構のプラテンローラを共通の搬送機構部品として使用することにより、カード搬送路の部品点数を削減することができる。
【０００９】
又、好ましくは前記プラテンローラとの間で前記ロール紙又は前記カード型情報記録媒体を挟持する挟持位置と前記プラテンローラから離れる離間位置とに、前記サーマルヘッドを切り換えるヘッド位置切換手段が設けられていることを特徴とする。
この場合、サーマルヘッドを必要に応じてロール紙やカード型情報記録媒体に対する挟持位置から離間位置へ退避させることができるので、ロール紙先端の頭出し時やカード型情報記録媒体の挿入時などに、サーマルヘッドが干渉して搬送の障害となることを防ぐことができる。
【００１０】
又、好ましくは前記カード型情報記録媒体として、前記サーマルヘッドにより可視情報の記録及び消去が可能な可逆的感熱記録層を備えたカードを使用すると共に、前記カード型情報記録媒体が前記共通経路に搬入された際には、前記サーマルヘッドに前記可視情報の消去動作を行わせ、前記共通経路から搬出された際には、前記サーマルヘッドに前記可視情報の記録動作を行わせるヘッド制御手段を設けたことを特徴とする。
この場合、印刷機構のサーマルヘッドを共用して、カード型情報記録媒体の可逆的感熱記録層に対する可視情報の書き換えを行うことができ、装備の簡素化を図ることができる。
【００１１】
本発明の上記目的は、ＰＯＳサーバと、少なくとも１台のＰＯＳ端末、無人端末及びユーザー端末とをネットワークを介して接続したＰＯＳシステムにおいて、
前記ＰＯＳ端末及び無人端末に接続されたプリンタには、サーマルヘッドにより可視情報の記録及び消去が可能な可逆的感熱記録層を備えたカードの可逆的感熱記録層に、ユーザーの購買情報の少なくとも一部と決済番号を可視的に記録する記録手段を備え、前記ユーザー端末、無人端末若しくはＰＯＳ端末からの、ユーザーによる前記決済番号をアクセスキーとした前記ＰＯＳサーバへのアクセスを可能とすることによって達成される。
【００１２】
上記ＰＯＳシステムでは、カードに可逆的感熱層を備えて、サーマルヘッドで可視的に書込んだデータを繰返し消去・書き込みすることによって、購買情報をプリントアウトするレシートの発行を省略することができると共に、当該可逆的感熱層に可視的に記録された決済番号をアクセスキーとしてＰＯＳサーバにアクセスができる。
【００１３】
又、好ましくは、前記ＰＯＳサーバには、ＰＯＳ端末におけるユーザーに対するレシートの発行を省略した旨の情報を記録し、前記ユーザー端末、無人端末若しくはＰＯＳ端末からの、ユーザーによる前記決済番号をアクセスキーとしたレシートの発行要求に際して、既にレシートを発行済みか否かを明記したレシートを発行することを特徴とする。
この場合は、レシート発行済みの場合には、再発行等の印字がなされて、最初のレシートと明確に区別できるので、同一のレシートが複数発行されることを防止できる。
【００１４】
又、好ましくは、前記ＰＯＳサーバには、ユーザー情報データベース、購買情報データベースと、家計簿ソフト若しくはカロリー計算、税金計算等のアプリケーションソフトを備え、前記ユーザー端末からの、ユーザーによる前記決済番号をアクセスキーとした家計簿若しくはカロリー計算、税金計算等のアプリケーションソフトのダウンロード要求に際して、ユーザー端末に対して、要求されたソフトをダウンロードすると共に、ユーザーの購買情報に基づく処理を実行し、ユーザーの購買情報のダウンロード要求のみに際してはユーザーの購買情報に基づく処理を実行することを特徴とする。
この場合は、ＰＯＳサーバに格納されている家計簿やカロリー計算、税金計算等のアプリケーションソフトをユーザー端末にダウンロードして自己の購買情報を組み込み処理できる。
【００１５】
又、好ましくは、前記ＰＯＳサーバには、ユーザー情報データベース、購買情報データベースとを備え、前記ユーザー情報データベース及び購買情報データベースにより、ユーザーの層別に応じた商品の品目／品名／日時／数量／値段等の商品分析を実行することを特徴とする。
この場合は、ＰＯＳサーバで、ユーザーの層別に応じた商品の品目／品名／日時／数量／値段等の商品分析をすることができる。
【００１６】
又、好ましくは、前記請求項６〜９いずれか１項に記載のＰＯＳシステムにおいて、前記ＰＯＳ端末若しくは無人端末に接続される印刷装置として、前記請求項１〜５のいずれか１項に記載の印刷装置を用いたことを特徴とする。
この場合は、請求項１〜５の印刷装置を有効にＰＯＳシステムに利用できる。
【００１７】
本発明の上記目的は、ＰＯＳサーバと、少なくとも１台のＰＯＳ端末、無人端末及びユーザー端末とをネットワークを介して接続したＰＯＳシステムのレシート発行方法において、前記ＰＯＳ端末及び無人端末に接続されるプリンタは、サーマルヘッドにより可視情報の記録及び消去が可能な可逆的感熱記録層を備えたカードを処理可能な構成とし、前記ＰＯＳシステムにおけるユーザーの購買に伴うレシートの発行処理時に、前記カードの可逆的感熱記録層に、ユーザーの購買情報の少なくとも一部と決済番号を可視的に記録するステップと、ユーザーの希望に応じてレシートの発行の有無を判断するステップと、ユーザーがレシートの発行を希望する場合には、レシート発行済み情報を前記ＰＯＳサーバに記録して、レシートを発行するステップとを含むことによって達成できる。
【００１８】
又、好ましくは、前記ユーザー端末、無人端末若しくはＰＯＳ端末から、ユーザーによる前記決済番号をアクセスキーとした前記ＰＯＳサーバへアクセスするステップと、
ユーザーによるレシート発行要求を入力するステップと、
既にレシートを発行済みか否かを明記したレシートを発行するステップと、
を更に含むことを特徴とする。
【００１９】
又、好ましくは、前記ユーザー端末、無人端末若しくはＰＯＳ端末から、ユーザーによる前記決済番号をアクセスキーとした前記ＰＯＳサーバへアクセスするステップと、ユーザーによる家計簿若しくはカロリー計算、税金計算等のアプリケーションソフトのダウンロード要求を入力するステップと、ユーザーの購買情報を取り込んだ家計簿若しくはカロリー計算、税金計算等のアプリケーションソフトをダウンロードするステップと、ユーザーによるユーザーの購買情報のみのダウンロード要求を入力するステップとユーザーの購買情報を家計簿若しくはカロリー計算、税金計算等のアプリケーションソフトへダウンロードするステップと、を更に含むことを特徴とする。
【００２０】
本発明の上記目的は、ＰＯＳサーバと、少なくとも１台のＰＯＳ端末、無人端末及びユーザー端末とをネットワークを介して接続したＰＯＳシステムにおけるＰＯＳシステム用プログラムであって、前記ＰＯＳサーバ、ＰＯＳ端末、無人端末及びユーザー端末のいずれかに含まれるコンピュータに、前記請求項１１〜１３いずれか１項における処理を実行させることを特徴とするＰＯＳシステム用プログラムによって達成できる。
【発明の効果】
【００２１】
本発明のカード処理機能付き印刷装置によれば、ロール紙を搬送する用紙搬送経路とカード型情報記録媒体を搬送するカード搬送経路の少なくとも一部を共通経路として構成することにより、全く別々に用紙搬送経路とカード搬送経路をレイアウトする場合と違って、共通経路がある分だけ搬送経路をコンパクトにレイアウトすることができると共に、部品点数を削減することができるので、カード処理機能付き印刷装置の小型化と製造コスト低減が図れる。
また、本発明のＰＯＳシステムにおいて、カードに可逆的感熱層を備えて、サーマルヘッドで可視的に書込んだデータを繰返し消去・書き込みすることによって、購買情報をプリントアウトするレシートの発行を省略することが可能になり、省資源に寄与することができる。
【発明を実施するための最良の形態】
【００２２】
以下、添付図面に基づいて本発明の一実施形態に係るカード処理機能付き印刷装置を詳細に説明する。
図１は本発明の一実施形態に係るカード処理機能付き印刷装置の概略断面図であり、図２は図１に示したカード型情報記録媒体の全体斜視図である。
【００２３】
本実施形態のカード処理機能付き印刷装置１０は、図１に示すように、ロール紙１を搬送するための用紙搬送経路３と、この用紙搬送経路３に隣接して設けられて前記ロール紙１に対して印刷を行う印刷機構６と、カード型情報記録媒体であるＩＣカード２を搬送するカード搬送経路４と、このカード搬送経路４に隣接して設けられて前記ＩＣカード２に対して情報の読み書き処理を行うカード処理機構であるカードリーダ／ライタ７とが、筐体２０内に収容されている。
【００２４】
前記ＩＣカード２は、図２に示すように、内蔵したメモリにアクセスするための電極２１を表面に備えると共に、表面の少なくとも一部に、加熱によって可視情報の記録及び消去が可能な可逆的感熱記録層（書換え可能な感熱記録部分）２２を備えている。
前記可逆性感熱記録層２２は、通常、特定温度より高い白濁温度（例えば、１３０℃）以上に加熱して、その後特定温度以下に冷却したときに白濁状態が得られると共に、白濁状態において透明化温度（例えば、１００℃〜１２０℃）に加熱し、その後特定温度以下に冷却したときに透明状態が得られる物質を、記録材料として塗布または貼り付けたものである。可逆的感熱記録層の材料によっては、逆に高温で可視情報を消去し、低温で可視情報を得られるものもある。また、消去した部分の色と可視できる部分の色との組み合わせも様々なものがある。このように、可逆的感熱記録層に印加する温度を違えることにより、可視情報を消去したり、可視情報を得られたりすることが可能である。
【００２５】
前記印刷機構６は、ロール紙１に接触した状態で熱を加えて印刷するサーマルヘッド６１と、このサーマルヘッド６１との間にロール紙１を挟んで搬送するプラテンローラ６２と、サーマルヘッド６１の熱を逃がすための放熱板６３と、サーマルヘッド６１をプラテンローラ６２に向けて押圧付勢するヘッド押圧バネ６４と、を備えている。
【００２６】
前記用紙搬送経路３は、ロール紙１を挟んで回転駆動される一対の紙送りローラ３１と、印刷機構６の搬送機構部品であるプラテンローラ６２と、プラテンローラ６２の上流側及び下流側に配置された用紙ガイド３２及び用紙ガイド３４とによって構成されており、前記プラテンローラ６２の上流には用紙検出器３３が配置されている。
【００２７】
前記カード搬送経路４は、一部が用紙搬送経路３と共通の共通経路５として構成されており、カード挿入口９の内方に設けられた一対のカード送りローラ４１と、前記印刷機構６と共通の搬送機構部品であるプラテンローラ６２とによって構成されており、前記カード送りローラ４１の近傍にはカード挿入検出器４２とカード排出検出器４３が配置されている。
即ち、前記サーマルヘッド６１と対をなすプラテンローラ６２が、共通経路５を構成する搬送機構部品とされているので、印刷機構６は用紙搬送経路３とカード搬送経路４に共有されている。
また、筐体２０の一面には、操作部２１及び表示部２２が設けられ、用紙搬送経路３の出口近傍には、印刷された用紙を切断するオートカッタ２３が設けられている。
【００２８】
前記カードリーダ／ライタ７は、カード搬送経路４の奥端側（図中下端側）に設けられており、ＩＣカード用基板７ＡとＩＣカード用電極７Ｂとにより構成されている。
また、印刷機構６には、前記プラテンローラ６２との間で前記ロール紙１又は前記ＩＣカード２を挟持して接触する挟持位置と前記プラテンローラ６２から離れる離間位置とのいずれかに、前記サーマルヘッド６１を切り換える歯車式のヘッドアップ機構（ヘッド位置切換手段）６５が設けられている。
【００２９】
更に、装置底部に配置された制御基板８は、操作部２１および図示しない操作系や検出系からの入力信号や、用紙検出器３３及びカード挿入検出器４２、カード排出検出器４３の検出信号などに基づいて、ロール紙１の回転制御、紙送りローラ３１、プラテンローラ６２及びカード送りローラ４１の各回転制御、サーマルヘッド６１の印刷制御、ヘッドアップ機構６５の駆動制御、カードリーダ／ライタ７の動作制御、表示部２２への出力信号、外部装置との入出力など印刷装置１０の全般をコントロールする。
【００３０】
そして、前記制御基板８の制御機能の中には、カード挿入口９にＩＣカード２が挿入された際（共通経路５にＩＣカード２が搬送される際）に、その共通経路５上からロール紙１を退避させる機能（用紙退避手段）が含まれている。
また、前記制御基板８は、ＩＣカード２が装置内の共通経路５に搬入された際にはサーマルヘッド６１に前記可逆性感熱記録層２２における可視情報の消去動作を行わせ、共通経路５から搬出された際にはサーマルヘッド６１に前記可逆性感熱記録層２２における可視情報の記録動作を行わせる機能（ヘッド制御手段）も有している。
【００３１】
次に、上述した本実施形態のカード処理機能付き印刷装置１０の動作を説明する。
先ず、ＩＣカード２が挿入されていないときには、図１に示すように、ロール紙１の用紙先端１１がサーマルヘッド６１を超えて後流側の用紙ガイド３４に至り、ロール紙１がプラテンローラ６２とサーマルヘッド６１に挟持されている。
この状態で、印刷命令が入力されると、制御基板８からの制御信号により、用紙送りローラ３１及びプラテンローラ６２が正転（図１中矢印方向に回転）することで、用紙搬送経路３に沿ってロール紙１が送り出されると共に、サーマルヘッド６１によりロール紙１に対して必要なデータが印刷される。
【００３２】
次に、カード挿入口９にＩＣカード２が挿入されると、カード挿入検出器４２がそれを検知することで、制御基板８からの制御信号によりロール紙１の退避動作が実行される。
即ち、最初にヘッドアップ機構６５がサーマルヘッド６１をプラテンローラ６２から離れる離間位置まで引き離す。次に、図３に示すように、用紙送りローラ３１及びプラテンローラ６２を逆転（図３中矢印方向に回転）させることで、用紙先端１１を用紙検知器３３が検知する位置まで戻す。この時点で、用紙送りローラ３１及びプラテンローラ６２は回転を停止する。
【００３３】
次に、その状態でカード送りローラ４１を正転（図３中矢印方向に回転）させて、ＩＣカード２を装置内に引き込む。ＩＣカード２の先端がサーマルヘッド６１と対向する位置に到達したら、ヘッドアップ機構６５がサーマルヘッド６１を元の挟持位置に戻し、サーマルヘッド６１とプラテンローラ６２の間にＩＣカード２を挟む。
【００３４】
そして、プラテンローラ６２を逆転（図３中矢印方向に回転）させて、ＩＣカード２を更に奥へ搬送する。それと同時に、サーマルヘッド６１で所定熱量をＩＣカード２の可逆性感熱記録層２２に加えることにより、該可逆性感熱記録層２２上に記録された可視情報を消去する。
【００３５】
ＩＣカード２の電極２１がカードリーダ／ライタ７の電極７Ｂと接触する位置まで来たら、ＩＣカード２の搬送を停止し、電極７Ｂを介してカード用基板７ＡによりＩＣカード２の内部情報の読み取り及び／又は書き込みを行う。ＩＣカード２が磁気ストライプにより磁気情報を持っている場合には、磁気ストライプが通過するカードリーダ／ライタ７の近傍に磁気ヘッドも搭載して、磁気情報の読み取り及び／又は書き込みを行うことも可能である。
【００３６】
ＩＣカード２に対する読み書き動作が終了したら、ＩＣカード２の排出動作に移る。
即ち、プラテンローラ６２を正転（ロール紙１の正送り方向へ回転）させると共にカード送りローラ４１を逆転させて、ＩＣカード２をカード挿入口９方向に搬送する。それと同時に、ＩＣカード２の可逆性感熱記録層２２にサーマルヘッド６１で所定の熱量を加え可視情報を記録する。
【００３７】
ＩＣカード２がカード排出検出器４３によって検出されたら引き続き所定量カード送りローラ４１を逆転してＩＣカード２を排出する。次に、ヘッドアップ機構６５によりサーマルヘッド６１を一旦プラテンローラ６２から引き離し、図３に示すように、その状態で紙送りローラ３１を正転させて、ロール紙１を所定量だけ紙送りする。
【００３８】
ロール紙１の用紙先端１１がサーマルヘッド６１に至るまで紙送りがなされたら、ヘッドアップ機構６５を戻し操作してロール紙１をサーマルヘッド６１とプラテンローラ６２で挟持し、プラテンローラ６２を正転させて用紙先端１１を下流側の用紙ガイド３４まで頭出しをする。これにより、図４に示した初期状態に戻る。
【００３９】
即ち、本実施形態のカード処理機能付き印刷装置１０によれば、ロール紙１を搬送する用紙搬送経路３とＩＣカード２を搬送するカード搬送経路４の一部が共通経路５として構成されている。
そこで、全く別々に用紙搬送経路とカード搬送経路をレイアウトした従来の装置と違って、共通経路５を設けることにより紙搬送経路３及びカード搬送経路４をコンパクトにレイアウトすることができ、カード処理機能付き印刷装置１０は小型化が可能となる。
【００４０】
また、共通経路５の範囲において搬送機構部品であるプラテンローラ６２を共有することができるので、部品点数の削減によるコスト低減が図れる。
更に、共通経路５を使用してＩＣカード２を搬送する際には、用紙退避手段によりロール紙１を共通経路５から退避させるので、ロール紙１を使用しながらもＩＣカード２の搬送に支障が生じることがない。
【００４１】
また、ヘッドアップ機構６５により、サーマルヘッド６１を必要に応じてロール紙１やＩＣカード２に対する挟持位置から離間位置へ退避させることができるので、用紙先端１の頭出し時やＩＣカード２の挿入時などに、サーマルヘッド６１が干渉して搬送の障害となることを防ぐことができる。
【００４２】
更に、本実施形態のカード処理機能付き印刷装置１０では、共通経路５上に設けられる印刷機構６が、ロール紙１に熱を加えて印刷するサーマルヘッド６１を備えると共に、ＩＣカード２が、前記サーマルヘッド６１により可視情報の記録及び消去が可能な可逆的感熱記録層２２を備えている。
そこで、印刷機構６のサーマルヘッド６１を共用して、ＩＣカード２の可逆的感熱記録層２２に対する可視情報の書き換えを行うことができ、別々にサーマルヘッドを装備する必要がないので、装備の簡素化を図ることができる。
【００４３】
尚、本発明のカード処理機能付き印刷装置における用紙搬送経路、印刷機構、カード型情報記録媒体、カード搬送経路、カード処理機構、共通経路及び用紙退避手段等の構成は、上記実施形態の構成に限定されるものではなく、本発明の趣旨に基づいて種々の形態を採りうることは勿論である。
【００４４】
例えば、上記実施形態においては、カードリーダ／ライタ７の電極７ＢがＩＣカード２の電極２１と接触した状態でＩＣカード２の内部情報の読み書きを行う場合について述べたが、アンテナ及び無線回路を備えたカード処理機構と非接触型ＩＣカードとにより内部情報の読み書きを行うこともできる。
又、カード型情報記録媒体としては、上記ＩＣカード２に限らず磁気や光等を用いた種々のカード型情報記録媒体を用いることができる。
【００４５】
また、制御基板８に搭載された図示しないメモリに記憶された、例えば日付などの情報を、ロール紙１にもＩＣカード２の可逆性感熱記録層２２にも印刷するよう構成することができる。ここで、当該メモリへ記録される情報は、ホスト装置から送信される。この構成により、ロール紙１やＩＣカード２への印刷の都度、ホスト装置から情報を送信する手間を省くことができる。さらに、印刷の都度同じ情報を当該メモリから読み出すことで、メモリの節約を図ることができる。
【００４６】
更に、ＩＣカード２からカードリーダ／ライタ７で読み取った情報と制御基板８に搭載された図示しないメモリに記憶されたある条件の情報が一致した場合、制御基板８に搭載された図示しないメモリに記憶された印刷情報をロール紙１に印刷することもできる。例えば、条件としてＩＣカード２から誕生日情報を読み取り、それが制御基板８に記憶された日付情報と一致した場合、制御基板８に記憶された景品引き換え券をロール紙１に印刷することができる。
【００４７】
次に、上記印刷装置で処理される可逆的感熱記録層を備えたカードを有効利用する本発明のＰＯＳシステムについて説明する。
図５は本発明のＰＯＳシステムの全体構成を示す図である。
図５において、５１はＰＯＳシステムを統括するＰＯＳサーバであり、該ＰＯＳサーバはネットワーク５６を介してＰＯＳ端末５２、無人端末５３、ユーザー端末５４、クレジットカード会社端末５５に接続されている。
【００４８】
前記ＰＯＳ端末５２及び無人端末５３には、カードリーダ／ライタ付きプリンタ５７が接続されていて、このカードリーダ／ライタ付きプリンタ５７が図１に示すカード処理機能付き印刷装置１０に相当する。
【００４９】
前記ＰＯＳサーバ５１には、サーバ制御部、ＰＯＳ端末制御部、ユーザー分析部、商品分析部、Ｗｅｂサイト制御部及び通信制御部があり、通信制御部を介してユーザー情報データベース、購買情報データベース及び商品マスタと接続されている。
また、前記Ｗｅｂサイト制御部には、ホームページ表示部、データ入出力部、データ変換部、データ記憶部及びダウンロードソフト記憶部が含まれる。
【００５０】
前記ＰＯＳ端末部５２には、端末制御部、バーコードリーダー、キーボード、表示部、記憶部、キャシュドロア、ユーザー登録部及びカード処理部が含まれる。
また、前記無人端末５３には、端末制御部、表示部、入力部、カード処理部及びユーザー登録部が含まれる。
また、前記ユーザー端末５４は、ユーザーが保有するパーソナルコンピュータ（ＰＣ）、ＰＤＡ、携帯電話等で構成されユーザープリンタ５８が接続されると共に、ダウンロードソフト記憶部及びデータ記憶部が含まれる。
【００５１】
次に、ＰＯＳ端末５２に接続されるカードリーダ／ライタ付きプリンタ５７の詳細な構成を、図６を用いて説明する。
カードリーダ／ライタ付きプリンタ５７は、インタフェース５７ａ、ＣＰＵ（制御部）５７ｂ、不揮発性のＲＯＭ（制御プログラム）５７ｃ、揮発性のＲＡＭ（ワークメモリ）５７ｄ、不揮発可能なＦｌａｓｈ ＲＯＭ（一時保存データ）５７ｅ、検出部５７ｆ、表示部５７ｇ、操作部５７ｈ、データ圧縮／解凍部，暗号化部５７ｉ、搬送部５７ｊ、ヘッドアップ／ダウン部５７ｋ、印刷部５７ｌ及び紙切断部５７ｍを含んでいる。
【００５２】
前記ＲＡＭ（ワークメモリ）５７ｄで扱われるデータとしては、日時データ、受信データ、レシート印刷データ、カード印刷データ、カード読み取りデータ及びカード書き込みデータが含まれる。これらは都度、ＰＯＳ端末５２によりデータが送られ保存されたり、ＣＰＵ５２ｂで処理されたデータの保存などに使用され、頻繁に読み書きされる。
また、Ｆｌａｓｈ ＲＯＭ５７ｅで扱われるデータとしては、サービス条件及び付加情報のデータが含まれる。これらは必要なとき、ＰＯＳ端末５２によりデータが送られ保存されたり、ＣＰＵ５２ｂで処理されたデータの保存などに使用されるが、頻繁に書き換えするデータではない。
【００５３】
また、前記データ圧縮／解凍部，暗号化部５７ｉの圧縮／解凍部での圧縮／解凍の方法の例としては、ランレングス符号化、ハフマン符号化、Ｌｅｍｐｅｌ−Ｚｉｖ法がある。
また、前記データ圧縮／解凍部，暗号化部５７ｉの暗号化の例としては、公開鍵暗号方式、秘密鍵暗号方式がある。
【００５４】
次に本発明のＰＯＳシステムのカードリーダ／ライタ付きプリンタ５７における可逆的感熱記録層を備えたカードの処理手順を、図７及び図８のフローチャートを用いて説明する。
はじめに、ＣＰＵ（制御部）５７ｂは、カード挿入検出器４２の検出に基づいて、可逆的感熱記録層を備えたカードが挿入されたか否かの判断を行う（ステップＳ１）。ステップＳ１の判断がＹｅｓ（Ｙ）である場合、ＣＰＵ５７ｂは、表示部５７ｇ（図１における表示部２２）にカードが挿入された旨の表示を行わせると共に、ＰＯＳ端末５２へステータスを返送する（ステップＳ２）。
次に、ＣＰＵ５７ｂは、ヘッドアップ機構６５にサーマルヘッド６１をプラテンローラ６２から離れる離間位置まで移動させると共に、用紙送りローラ３１及びプラテンローラ６２を逆転させて、用紙検出器３３が「紙無し」を検出するまでレシート紙（ロール紙）を退避させる（ステップＳ３）。
更に、その状態でカード送りローラ４１を正転させて、可逆的感熱記録層を備えたカードをヘッド位置まで搬送させる（ステップＳ４）。
次に、ＣＰＵ５７ｂは、サーマルヘッド６１をカードの可逆的感熱記録層に対応する位置まで「ヘッドダウン」させ、カードを搬送しながらサーマルヘッド６１が所定の熱量を印加して既に書き込まれている可視情報を消去させると共に、カードリーダ／ライタ７の位置まで搬送させる（ステップＳ５）。
次に、ＣＰＵ５７ｂは、カードリーダ／ライタ７によるカードデータの読み込みが可能か否かを判断する（ステップＳ６）。ステップＳ６の判断がＹｓｅ（Ｙ）である場合、ＣＰＵ５７ｂは、次に、カードデータの読み込み情報である決済番号情報を含む購買情報とＲＡＭ（ワークメモリ）５７ｄに保存されている決済番号情報を含む購買情報を比較して、当該カードに既に保存されている情報を書き込み済み、印刷終了済みのカードであるか否かを判断する（ステップＳ７）。この場合、ＲＡＭ（ワークメモリ）５７ｄでなく、ＰＯＳ端末５２またはＰＯＳ端末５２経由でＰＯＳサーバ５１に照合の問合せをするようにしてもよい。また、カードデータの読み込み時はデータ圧縮／解凍部，暗号化部５７ｉで処理される。
【００５５】
ステップＳ６の判断がＮｏ（Ｎ）である場合、またはステップＳ７の判断がＹｅｓ（Ｙ）である場合、ＣＰＵ５７ｂは、表示部５７ｇにエラー表示を行わせると共に、ＰＯＳ端末５２へその旨のステータスを送信する（ステップＳ８）。そして、カード排出検出器４３でカードの排出を検出後、更に所定量を加えて排出方向にカードを搬送し、サーマルヘッド６１を「ヘッドアップ」させる（ステップＳ９）更に、カードの排出表示を行うと共に、ＰＯＳ端末５２へステータスを返送する（ステップＳ１０）。その後、レシート紙（ロール紙）をヘッド位置まで搬送させ、サーマルヘッド６１を「ヘッドダウン」させる（ステップＳ１１）。
上記ステップＳ２〜ステップＳ１１の手順を「処理Ａ」とする。
【００５６】
ステップＳ７の判断がＮｏ（Ｎ）である場合、ＣＰＵ５７ｂは、ＰＯＳ端末５２からデータを受信したか否かの判断を行い、Ｎｏ（Ｎ）の場合はステップＳ１の手順に戻る（ステップＳ１２）。一方、ステップＳ１２の判断がＹｅｓ（Ｙ）である場合、ＣＰＵ５７ｂは、インタフェース５７ａを介してＰＯＳ端末５２からデータを受信してＲＡＭ（ワークメモリ）５７ｄに記憶する（ステップＳ１３）。この場合、受信データには決済番号情報や購買情報などが含まれている。
更に、ＣＰＵ５７ｂは、読み込んだカードデータをデータ圧縮／解凍部，暗号化部５７ｉで解凍処理と暗号の復元化処理をしてＲＡＭ５７ｄに記憶させると共に、当該データをＰＯＳ端末５２へ送信する（ステップＳ１４）。この場合、ＲＡＭ（ワークメモリ）５７ｄでなく、ＰＯＳ端末５２またはＰＯＳ端末５２経由でＰＯＳサーバ５１にも記憶させることが望ましい。
次に、ＣＰＵ５７ｂは、ＲＡＭ５７ｄに記憶されたデータに基づいて決済番号情報を含む購買情報などのカード書き込みデータを生成して、データ圧縮／解凍部，暗号化部５７ｉでデータの圧縮・暗号化処理を行ってからカードへの書き込みを実行させる（ステップＳ１５）。
この場合、ＩＣカード２のメモリ領域に空きがない時は、より古いデータを優先して消去してもよい。
また、ＣＰＵ５７ｂは、ＲＡＭ５７ｄに記憶されたデータに基づいて決済番号情報を含む購買情報などのカード印刷データ（決済番号情報や付加情報を含む）を生成して、印刷部５７ｌに印刷を実行させる（ステップＳ１６）。具体的には、カード送りローラ４１を逆転させてカードを排出方向に搬送させながら、サーマルヘッド６１で印刷する。この場合、ＩＣカード２に印刷可能な可逆性感熱記録層２２の領域に制限があるため、ＣＰＵ５７ｂは必ず決済番号情報を印刷するが、購買情報や付加情報についてはカードに印刷するべきデータを選択または統合して、カードに印刷しても良い。
カードへの印刷後ＣＰＵ５７ｂは、カード排出検出器４３によるカード排出を検出した後、更に所定量を加えて排出方向にカードを搬送させ、サーマルヘッド６１を「ヘッドアップ」させる（ステップＳ１７）。また、カード排出を表示部５７ｆに表示させると共に、ＰＯＳ端末５２へステータスを返送する（ステップＳ１８）。
次に、ＣＰＵ５７ｂは、レシート紙（ロール紙）をヘッド位置まで搬送させてからサーマルヘッド６１を「ヘッドダウン」させる（ステップＳ１９）。
ここで、ＣＰＵ５７ｂは、Ｆｌａｓｈ ＲＯＭ５７ｅなどに保存してあるサービス条件と一致するか否かを判断し（ステップＳ２０）、一致する場合は印刷部５７ｌでサービス券の印刷を行って、オートカッタ２３で切断させる（ステップＳ２１）。
上記ステップＳ１４〜ステップＳ２１の手順を「処理Ｂ」とする。
【００５７】
一方、ステップＳ２０においてサービス条件が一致しない場合、またはステップＳ２１の処理終了後、ＣＰＵ５７ｂは、操作部２１の操作がなされたか否かを判断する（ステップＳ２２）。ステップＳ２２の判断がＮｏ（Ｎ）である場合、次に、ＣＰＵ５７ｂは、ＰＯＳ端末５２からのレシート印刷コマンドの有無を判断する（ステップＳ２３）。ステップＳ２３の判断がＮｏ（Ｎ）である場合、ＣＰＵ５７ｂは処理を終了する。
ステップＳ２２の判断がＹｅｓ（Ｙ）である場合、またはステップＳ２３の判断がＹｅｓ（Ｙ）の場合は、後述するステップＳ２６の手順へ移行する。すなわち、オペレータが操作部２１を操作した場合、またはＰＯＳ端末から５２からレシート印刷コマンドを受信した場合、ステップＳ２６へ移行する。これらの場合、レシート印刷に必要な情報は既にステップＳ１２で得られている。
【００５８】
ここで、ステップＳ１の判断がＮｏ（Ｎ）である場合、即ち、カードの挿入が検知されない場合、ＣＰＵ５７ｂは、既にカードが挿入済みか否かを判断し、カードが既に挿入されている場合はステップＳ１２の手順に移行する（ステップＳ２４）。一方、ステップＳ２４の判断もＮｏ（Ｎ）である場合、即ち、カードが挿入されていない場合は、ＰＯＳ端末５２からデータを受信したか否かの判断をし、Ｎｏ（Ｎ）の場合はステップＳ１に戻る（ステップＳ２５）。
ステップＳ２５の判断がＹｅｓ（Ｙ）の場合、即ち、ＰＯＳ端末５２からデータを受信した場合、ＣＰＵ５７ｂは、決済番号情報や購買情報などを含む受信データに基づいてレシート印刷データ（決済番号情報や付加情報を含む）を生成して（ステップＳ２６）、印刷部５７ｌでレシート印刷データの印刷を行って、オートカッタ２３で切断させる（ステップＳ２７）。
印刷後にＣＰＵ５７ｂは、再び、カード挿入検出器４２の検出に基づいて、可逆的感熱記録層を備えたカードが挿入されたか否かの判断を行う（ステップＳ２８）。ステップＳ２８における判断がＮｏ（Ｎ）である場合、ＣＰＵ５７ｂは処理を終了する。一方、ステップＳ２８における判断がＹｅｓ（Ｙ）である場合、ＣＰＵ５７ｂは、前述の「処理Ａ」を実行させ（ステップＳ２９）、その後「処理Ｂ」を実行させてから（ステップＳ３０）、処理を終了する。これは、レシートを印刷した後から、ユーザーがカードをオペレータに渡すことがあっても対応できるようにするためである。
【００５９】
次に本発明のＰＯＳシステムのＰＯＳ端末５２における処理手順を、図９のフローチャートを用いて説明する。
はじめに、ユーザーが購入する商品に付けられたバーコードがバーコードリーダーのスキャナで読み取られ、商品コードが入力される（ステップＳ４１）。端末制御部は、入力された商品コードをＰＯＳサーバ５１へ送信すると共に、ＰＯＳサーバ５１経由で商品マスタから商品コードに対応する商品情報を取得する（ステップＳ４２）。端末制御部は、取得した商品情報を記憶部に記録する（ステップＳ４３）。また、表示部に当該商品情報を表示させる（ステップＳ４４）。
次に、端末制御部は、ユーザーが購買する商品に関わる購買情報を生成して（ステップＳ４５）、記憶部に記録する（ステップＳ４６）。また、ＰＯＳ端末５２に接続するカードリーダ／ライタ付きプリンタ５７にユーザーが挿入したカードに関わるユーザー情報等をカードリーダ／ライタ付きプリンタ５７から取得して、ＰＯＳサーバ５１へ送信する（ステップＳ４７）。
【００６０】
次に、端末制御部は、ユーザーが決済をプリペイドカードによる支払いとするか否かを判断し（ステップＳ４８）、Ｎｏ（Ｎ）である場合、次に、決済をクレジットカードによる支払いとするか否かを判断する（ステップＳ４９）。
端末制御部は、ステップＳ４９における判断がＹｅｓ（Ｙ）である場合、即ち、クレジットカード決済とする場合、ＰＯＳサーバ５１を介して、クレジットカード会社５５へ連絡して、与信確認がＯＫか否かを判断させる（ステップＳ５０）。ステップＳ４９における判断がＮｏ（Ｎ）である場合、またはステップＳ５０において与信確認がＮＧとなった場合、決済方法として現金による支払いが確定する（ステップＳ５１）。
以上の手順の後、端末制御部は、決済番号情報を含む購買情報をＰＯＳサーバ５１へ送信する（ステップＳ５２）。更に、端末制御部は、当該購買情報と決済番号情報、付加情報とをカードリーダ／ライタ付きプリンタ５７へ送信して（ステップＳ５３）、処理を終了する。
ステップＳ４８でＹｅｓ（Ｙ）の場合は、プリペイドカードによる支払いと判断し、また端末制御部はステップＳ４７でプリペイドカードの残金データも取得している。端末制御部は、支払い金額がプリペイドカードの残金より多い場合には、ステップＳ５１の現金による支払いへと進む。
ステップＳ５３でカードリーダ／ライタ付きプリンタ５７にプリペイドカードから支払い金額を差し引く指示もし、カードリーダ／ライタ付きプリンタ５７はプリペイドカードのメモリに記録されている残金から支払い金額を差し引いて書き換えることも行う。また残金をカードに印刷してもよい。
また、ステップ５２で決済番号情報をＰＯＳサーバに送信するが、決済番号情報は決済毎に端末制御部で生成する。複数のＰＯＳ端末５２がある場合、決済番号情報が重複しないように、ＰＯＳサーバが予め各ＰＯＳ端末５２に異なる特定情報を与えておき、ＰＯＳ端末５２は該特定情報を付加した決済番号情報を生成するようにする。或いは、予めＰＯＳ端末５２は固有情報を記憶しておき、該固有情報を付加した決済番号情報を生成するようにしてもよい。または、ＰＯＳサーバ５１が決済番号情報を生成する機能を有し、ステップ５２でＰＯＳ端末５２が購買情報をＰＯＳサーバ５１に送信すると、ＰＯＳサーバ５１が生成した決済番号情報をＰＯＳ端末５２に送信し、ＰＯＳ端末５２はこの決済番号情報をカードやレシートに印刷したり、カードに書き込んだりすることができる。
【００６１】
次に本発明のＰＯＳシステムのＰＯＳサーバ５１における分析処理手順を、図１０のフローチャートを用いて説明する。
はじめに、サーバ制御部は、通信制御部を介してＰＯＳ端末５２から商品コードを取得する（ステップＳ６１）。そして、商品マスタを参照して商品コードに対応する商品情報を生成し（ステップＳ６２）、生成した商品情報をＰＯＳ端末５２へ送信する（ステップＳ６３）。
次に、サーバ制御部は、ＰＯＳ端末５２に接続するカードリーダ／ライタ付きプリンタ５７に挿入されたカードに関わるユーザー情報と、当該ユーザーの（決済番号情報を含む）購買情報を取得する（ステップＳ６４）。更に、取得したユーザー情報と購買情報を関連付けてユーザー情報データベースと購買情報データベースに記憶する（ステップＳ６５）。
以上の処理手順は、ユーザーの商品購買に伴って実行される通常の処理である。
【００６２】
次に、サーバ制御部は、ユーザー情報データベースを参照して、ユーザーの男女／年齢／住所等の層別のユーザー分析を実行する（ステップＳ６６）。また、購買情報データベースを参照して、ユーザーに販売した商品の品目／品名／日時／数量／値段等の層別の商品分析を実行する（ステップＳ６７）。この場合、ネットワーク５６を介して気象情報サイトから、該当店舗位置の購買時の天気や気温、湿度などの情報を取得してもよい。
更に、サーバ制御部は、ステップＳ６６及びステップＳ６７で実行したユーザー分析及び商品分析で層別した処理結果に基づいて、相関関係処理や表やグラフ化に伴う情報処理を実行する（ステップＳ６８）。また、サービス券の発行率やサービス券の回収率等のその他の分析処理も実行する（ステップＳ６９）。
【００６３】
次に、本発明のＰＯＳシステムのＰＯＳ端末５２または無人端末５３におけるユーザー登録の処理手順を、図１１のフローチャートを用いて説明する。
はじめに、ＰＯＳ端末５２（または無人端末５３）のユーザー登録部は、ユーザー登録に必要な情報をＰＯＳサーバ５１から取得またはＰＯＳ端末５２（または無人端末５３）が記憶している場合は読み出すなどして用意し（ステップＳ７１）、メニューに従ってユーザー情報が入力できるようなユーザー登録画面を表示部に表示する（ステップＳ７２）。キーボードや入力部でユーザーによりパスワードを含むユーザー情報の入力が行われると（ステップＳ７３）、ユーザー登録部は、ＰＯＳサーバ５１へ取得したユーザー情報を送信し、ユーザー情報データベースへの登録が行われ、新たなユーザー情報登録によりＰＯＳサーバ５１はユーザー番号を生成し、ＰＯＳ端末５２（または無人端末５３）に送信する（ステップＳ７４）。
次に、ユーザーがカードリーダ／ライタ付きプリンタ５７にカードを挿入すると（無人端末の場合には、既に内蔵されている）、ユーザー登録部は、カードへユーザー番号等のデータの書込み／印刷を実行後、カードを排出して処理を終了する（ステップＳ７５）。
【００６４】
次に、本発明のＰＯＳシステムの無人端末５３またはＰＯＳ端末５２におけるレシート発行処理手順を、図１２のフローチャートを用いて説明する。商品の購買時に決済情報をカードに印刷したり書き込むことによりレシート発行を省略したが、その後にレシートが必要となった場合や、購買時にレシートの発行を受けたが紛失等により再発行を受けたい場合の、レシート発行手順について説明する。
はじめに、ユーザーが、無人端末５３またはＰＯＳ端末５２に付属するカードリーダ／ライタ付きプリンタ５７にカードを挿入すると（ステップＳ８１）、端末制御部は、表示部に決済番号の入力を促す旨の表示を行わせる（ステップＳ８２）。
ユーザーがカードの可逆的感熱記録層に記録されている購買情報の決済番号情報を入力すると（ステップＳ８３）、端末制御部は、挿入されたカードに記録されているユーザー情報及び決済番号情報（含む決済情報）をＰＯＳサーバ５１へ送信し、応答のレシート印刷情報を取得する（ステップＳ８４）。
次に、端末制御部は、挿入したカードに該当する決済番号情報に対するレシート発行済み情報があるか否かを判断する（ステップＳ８５）。レシートが未発行である場合、端末制御部は、カードにレシート発行済み情報を書き込み、レシートの印刷を実行させる（ステップＳ８６）。一方、レシートが発行済みである場合、端末制御部は、カードにレシート再発行済み情報を書き込み、レシートの印刷を実行させる（ステップＳ８７）。この際、レシートには再発行したレシートである旨が印字される。以上の処理後、端末制御部はカードを排出して処理を終了する（ステップＳ８８）。
【００６５】
次に、本発明のＰＯＳシステムで使用される可逆的感熱記録層を備えたカードについて説明する。
図１３は、本発明のＰＯＳシステムで使用される可逆的感熱記録層を備えたカードの一例として、ＩＣカードの回路構成を示す模式図である。図では、非接触／接触併用型の回路構成を示している。
ＩＣカードは、アンテナ、無線回路、接触用電極、ＣＰＵ、ＲＯＭ、ＲＡＭ、Ｆｌａｓｈ ＲＯＭ、などで構成される。非接触型ＩＣカードでは、アンテナと無線回路によりデータの読み書きを行い、接触型ＩＣカードでは、接触用電極を介してデータの読み書きを行う。
【００６６】
次に、上記構成のＩＣカードの表裏両面の外観を、図１４を用いて説明する。図１４（ａ）及び（ｂ）は、本発明のＰＯＳシステムで使用される可逆的感熱記録層を備えたＩＣカードの表面及び裏面の外観を示す模式図である。ＩＣカードの表面には、接触用電極と、可逆的感熱記録層からなる印刷領域が配置され、ＰＯＳシステムを運営する企業名称（○○ストア）やインターネットアドレス（ｈｔｔｐ：／／ＡＢＣＤ）などが印字されている。印刷領域には、サーマルヘッドによって購買情報から抽出または選択された情報及び決済番号情報が可視可能に印刷される。例えば品名が多い場合は、図１４（ａ）のように品目のみを印刷する。カードリーダ／ライタ付きプリンタ５７が記憶している付加情報（各種広告や連絡情報など）を印刷してもよい。プリペイドカードの場合は、残金も印刷される。
図示されているポイント情報や割引情報などの付加情報、各種情報をコード化した２次元コードは、必要に応じて印刷される。
また、ＩＣカードの裏面には、カードの発行番号、署名、注意書き等が記録されるが、この裏面情報も適宜変更してよい。更に、磁気情報も、当該カードをＩＣカードのみとして使用する際には必要ないので省略することも可能である。
【００６７】
図１５（ａ）及び（ｂ）は、本発明のＰＯＳシステムで使用される可逆的感熱記録層を備えた別のカードの表面及び裏面の外観を示す模式図である。カードの表面には、可逆的感熱記録層からなる印刷領域が配置され、ＰＯＳシステムを運営する企業名称（○○ストア）及びインターネットアドレス（ｈｔｔｐ：／／ＡＢＣＤ）等が印字されている。このカードは、ポイントカードとしての機能のみを付与したカードであるので、磁気情報のみでもよいためＩＣ回路関連の配置が省略され、印刷領域には、サーマルヘッドによって決済番号情報が可視可能に記録される。
図示されているポイント情報や割引情報、各種データをコード化した２次元コードは、必要に応じて記録される。
また、ＩＣカードの裏面には、上記の例と同様にカードの発行番号、署名、注意書き等が記録されるが、この裏面情報も適宜変更してよい。
２次元コードは万が一、カードのＩＣの故障や磁気情報の欠損により、カード使用が不能になった場合に、無人端末５３の入力部やＰＯＳ端末５２のバーコードリーダーによりカードに印刷されている２次元コードを読み取ることにより、ユーザー情報等を取得することができ、カードの再発行を容易に行うことができる。また、ユーザー端末５４に付加されている入力部により２次元コードを読み取り、詳細な購買情報を知ることも可能である。この場合、ユーザー端末５４は、２次元コードを読み取り、読み取った情報を整理して表示するアプリケーションソフトを、ＰＯＳサーバ５１から予めダウンロードしておくことが望ましい。
また、２次元コードには、店舗のインターネットアドレスが含まれており、ユーザー端末５４で読み取って簡単にアクセスすることもできる。
【００６８】
次に、本発明のＰＯＳシステムの無人端末またはＰＯＳ端末に付属するカードリーダ／ライタ付きプリンタ５７が印刷するレシートの表示例について、図１６を用いて説明する。
図１６は、レシートの表示例を示す模式図である。レシートには、通常の購買情報の他に、本発明のＰＯＳシステムに特有の情報として、決済番号情報が必須の構成として印刷される。カードリーダ／ライタ付きプリンタ５７が記憶している付加情報（各種広告や連絡情報など）を印刷してもよい。また、２次元コードは、必要に応じて記録される。
２次元コードは万が一、カードの紛失やカードのＩＣの故障、磁気情報の欠損により、カード使用が不能になった場合に、無人端末５３の入力部やＰＯＳ端末５２のバーコードリーダーによりレシートに印刷されている２次元コードを読み取ることにより、ユーザー情報等を取得することができ、カードの再発行を容易に行うことができる。また、ユーザー端末５４に付加されている入力部により２次元コードを読み取り、詳細な購買情報を知ることも可能である。この場合、ユーザー端末５４は、２次元コードを読み取り、読み取った情報を整理して表示するアプリケーションソフトを、ＰＯＳサーバ５１から予めダウンロードしておくことが望ましい。また、２次元コードには、店舗のインターネットアドレスが含まれており、ユーザー端末５４で読み取って簡単にアクセスすることもできる。
【００６９】
次に、図１７は、本発明のＰＯＳシステムにおけるユーザー情報データベースに格納されるユーザー情報のデータ構成例を示す模式図である。図では、ユーザー氏名、ユーザー番号、男女別情報、年齢、住所等でデータが構成されているが、構成は必ずしもこの例に限定されるものではない。
【００７０】
また、図１８は、本発明のＰＯＳシステムにおける購買情報データベースに格納される購買情報のデータ構成例を示す模式図である。図では、店名、決済番号、日時、ユーザー番号、ポイント、品目、品名、個数、単価、小計、消費税等でデータが構成されているが、構成は必ずしもこの例に限定されるものではない。
【００７１】
以上のように、本発明のＰＯＳシステムでは、可逆的感熱層を有するカードを使用することにより、サーマルヘッドでデータを可視的に書き込んだり、消去したりすることが繰り返し行えるため、購買情報をプリントアウトするレシート発行を省略することが可能となり、省資源にも寄与することができる。
【００７２】
次に、ユーザー端末５４から、本発明のＰＯＳシステムのＰＯＳサーバ５１へアクセスする際の端末画面表示例について、図１９を用いて説明する。
図１９（ａ）は、ユーザーが、自己の保持するユーザー端末５４から、本発明のＰＯＳシステムを運営する店舗のホームページ（ＰＯＳサーバ５１のＷｅｂサイト制御部）にインターネットを介してアクセスする際のログイン画面の表示例を示すホームページ、ログイン画面の模式図である。画面情報はＰＯＳサーバ５１のホームページ表示部によりユーザー端末５４に表示される。ユーザーは、ログイン画面上で予めユーザー登録時に決められたユーザー番号及びパスワードを入力することによりＰＯＳサーバ５１にアクセスできるようになる。図１９（ｂ）は、メニュー画面の表示例を示す模式図である。ユーザーは、画面上で購買情報を取得したい場合に、カードやレシートに印刷された決済番号情報を入力すると、図１８に示すような必要な購買情報を取得することができる。取得した情報は、ユーザープリンタ５８によりレシート出力させることもできる。各アプリケーションを選択することによりユーザー端末５４へダウンロードすることもできる。
【００７３】
また、本発明のＰＯＳシステムの例として、ユーザー端末５４からのアクセスにより、家計簿情報やカロリー計算情報、税金計算情報、ポイント情報を取得することができ、予めダウンロードしておいた各アプリケーションのファイルにそれらの情報を自動的に追加することも、不図示の印刷用アプリケーションまたはドライバによりユーザープリンタ５８に所定のフォーマットで出力させることもできる。
図１９（ｂ）に示すメニュー画面で、ユーザーが「家計簿」を選択すると、ＰＯＳシステムのＰＯＳサーバ５１のダウンロードソフト記憶部に格納された家計簿ソフトがユーザー端末５４へダウンロードされる。更に、ダウンロードした家計簿ソフトが購買情報（図１８参照）を組み込んで家計簿データを自動的に作成する。図２０は、本発明のＰＯＳシステムが保持する家計簿ソフトを取得して、購買情報に対応した家計簿データをユーザー端末が自動的に作成する際の画面表示例を示す模式図である。
【００７４】
また、同様に、図１９（ｂ）に示す決済番号入力画面で、ユーザーが「カロリー計算」を選択すると、ＰＯＳシステムのＰＯＳサーバ５１のダウンロードソフト記憶部に格納されたカロリー計算ソフトがユーザー端末５４へダウンロードされる。更に、ダウンロードしたカロリー計算ソフトが購買情報（図１８参照）を組み込んでカロリー計算表を自動的に作成する。図２１は、本発明のＰＯＳシステムが保持するカロリー計算ソフトを取得して、購買情報に対応したカロリー計算表をユーザー端末が自動的に作成する際の画面表示例を示す模式図である。「税金計算」なども同様に可能である。
【００７５】
更に、図２２に示すように、ユーザーは、自らの購買情報に対応したポイント情報をユーザー端末に表示させることもできる。ポイント情報をユーザープリンタ５８に印刷して店舗に持って行き、サービスを受けることも可能である。
また店舗も 図１０のフローチャートで説明した本発明のＰＯＳシステムのＰＯＳサーバ５１における分析処理手順により、得られたユーザー情報と購買情報などから、ＰＯＳサーバにアクセスしたユーザーに適した情報や広告を配信することも可能である。これら情報や広告は、購買時の購買情報やカードリーダ／ライタ付きプリンタ５７で取得したユーザー情報に基づいてＰＯＳサーバ５１やＰＯＳ端末５２が生成し、カードやレシートに印刷してもよい。
【図面の簡単な説明】
【００７６】
【図１】本発明の一実施形態に係るカード処理機能付き印刷装置の概略断面図である。
【図２】図１に示したカード型情報記録媒体の全体斜視図である。
【図３】図１に示したカード処理機能付き印刷装置におけるカード挿入時の状態を示す概略断面図である。
【図４】図３に示したカード処理機能付き印刷装置におけるカード排出時の状態を示す概略断面図である。
【図５】本発明のＰＯＳシステムの全体構成を示す図である。
【図６】本発明のＰＯＳ端末に接続されるカードリーダ／ライタ付きプリンタの詳細な構成を示す図である。
【図７】本発明のＰＯＳシステムのカードリーダ／ライタ付きプリンタにおける可逆的感熱記録層を備えたカードの処理手順を示すフローチャート（その１）である。
【図８】本発明のＰＯＳシステムのカードリーダ／ライタ付きプリンタにおける可逆的感熱記録層を備えたカードの処理手順を示すフローチャート（その２）である。
【図９】本発明のＰＯＳシステムのＰＯＳ端末における処理手順を示すフローチャートである。
【図１０】本発明のＰＯＳシステムのＰＯＳサーバにおける分析処理手順を示すフローチャートである。
【図１１】本発明のＰＯＳシステムのＰＯＳ端末または無人端末におけるユーザー登録の処理手順を示すフローチャートである。
【図１２】本発明のＰＯＳシステムの無人端末５３またはＰＯＳ端末５２におけるレシート発行処理手順を示すフローチャートである。
【図１３】本発明のＰＯＳシステムで使用される可逆的感熱記録層を備えたカードの一例として、ＩＣカードの回路構成を示す模式図である。
【図１４】本発明のＰＯＳシステムで使用される可逆的感熱記録層を備えたＩＣカードの表面及び裏面の外観を示す模式図である。
【図１５】本発明のＰＯＳシステムで使用される可逆的感熱記録層を備えた別のカードの表面及び裏面の外観を示す模式図である。
【図１６】本発明のＰＯＳシステムの無人端末またはＰＯＳ端末に付属するカードリーダ／ライタ付きプリンタが印刷するレシートの表示例を示す模式図である。
【図１７】本発明のＰＯＳシステムにおけるユーザー情報データベースに格納されるユーザー情報のデータ構成例を示す模式図である。
【図１８】本発明のＰＯＳシステムにおける購買情報データベースに格納される購買情報のデータ構成例を示す模式図である。
【図１９】ユーザー端末から、本発明のＰＯＳシステムのＰＯＳサーバへアクセスする際の端末画面表示例を示す模式図である。
【図２０】本発明のＰＯＳシステムが保持する家計簿ソフトを取得して、購買情報に対応した家計簿データをユーザー端末で自動的に作成する際の画面表示例を示す模式図である。
【図２１】本発明のＰＯＳシステムが保持するカロリー計算ソフトを取得して、購買情報に対応したカロリー計算表をユーザー端末が自動的に作成する際の画面表示例を示す模式図である。
【図２２】購買情報に対応したポイント情報をユーザー端末で表示する際の画面表示例を示す模式図である。
【符号の説明】
【００７７】
１…ロール紙、２…ＩＣカード（カード型情報記録媒体）、３…用紙搬送経路、４…カード搬送経路、５…共通経路、６…印刷機構、７…カードリーダ／ライタ（カード処理機構）、８…制御基板（ヘッド制御手段）、１０…カード処理機能付き印刷装置、５１…ＰＯＳサーバ、５２…ＰＯＳ端末、５３…無人端末、５４…ユーザー端末、５５…クレジット会社端末、５６…ネットワーク、５７…カードリーダ／ライタ付きプリンタ、６１…サーマルヘッド、６２…プラテンローラ、６５…ヘッドアップ機構（ヘッド位置切換手段）
【図１】
2008074104.tif 000003
【図２】
2008074104.tif 000004
【図３】
2008074104.tif 000005
【図４】
2008074104.tif 000006
【図５】
2008074104.tif 000007
【図６】
2008074104.tif 000008
【図７】
2008074104.tif 000009
【図８】
2008074104.tif 000010
【図９】
2008074104.tif 000011
【図１０】
2008074104.tif 000012
【図１１】
2008074104.tif 000013
【図１２】
2008074104.tif 000014
【図１３】
2008074104.tif 000015
【図１４】
2008074104.tif 000016
【図１５】
2008074104.tif 000017
【図１６】
2008074104.tif 000018
【図１７】
2008074104.tif 000019
【図１８】
2008074104.tif 000020
【図１９】
2008074104.tif 000021
【図２０】
2008074104.tif 000022
【図２１】
2008074104.tif 000023
【図２２】
2008074104.tif 000024
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
ロール紙を搬送する用紙搬送経路と、
この用紙搬送経路に隣接して設けられて前記ロール紙に対して印刷を行う印刷機構と、  カード型情報記録媒体を搬送するカード搬送経路と、
このカード搬送経路に隣接して設けられて前記カード型情報記録媒体に対して情報の読み書きの少なくともいずれかの処理を行うカード処理機構と、を備えており、
前記用紙搬送経路と前記カード搬送経路の一部を共通経路として構成し、前記用紙搬送経路の出口と前記カード挿入口を分離すると共に、当該カード挿入口近傍にカード挿入検出器を設けて、
前記共通経路上に前記ロール紙が存在する状態で、前記カード挿入口に前記カードが挿入されたことを前記カード挿入検出器で検出して、
前記共通経路上から前記ロール紙を退避させる用紙退避手段が設けられていることを特徴とするカード処理機能付き印刷装置。
【請求項２】
前記印刷機構が、前記共通経路上に設けられていることを特徴とする請求項１に記載のカード処理機能付き印刷装置。
【請求項３】
前記印刷機構が、ロール紙に熱を加えて印刷するサーマルヘッドと、このサーマルヘッドとの間にロール紙を挟んで搬送するプラテンローラとを備えており、
前記プラテンローラが、前記用紙搬送経路と前記カード搬送経路とに共通の搬送機構部品として構成されていることを特徴とする請求項２に記載のカード処理機能付き印刷装置。
【請求項４】
前記プラテンローラとの間で前記ロール紙又は前記カード型情報記録媒体を挟持する挟持位置と前記プラテンローラから離れる離間位置とに、前記サーマルヘッドを切り換えるヘッド位置切換手段が設けられていることを特徴とする請求項３に記載のカード処理機能付き印刷装置。
【請求項５】
前記カード型情報記録媒体として、前記サーマルヘッドにより可視情報の記録及び消去が可能な可逆的感熱記録層を備えたカードを使用すると共に、
前記カード型情報記録媒体が前記共通経路に搬入された際には、前記サーマルヘッドに前記可視情報の消去動作を行わせ、前記共通経路から搬出された際には、前記サーマルヘッドに前記可視情報の記録動作を行わせるヘッド制御手段を設けたことを特徴とする請求項３又は請求項４に記載のカード処理機能付き印刷装置。
【手続補正２】
【補正対象書類名】明細書
【補正対象項目名】０００５
【補正方法】変更
【補正の内容】
【０００５】
本発明の上記目的は、ロール紙を搬送する用紙搬送経路と、この用紙搬送経路に隣接して設けられて前記ロール紙に対して印刷を行う印刷機構と、カード型情報記録媒体を搬送するカード搬送経路と、このカード搬送経路に隣接して設けられて前記カード型情報記録媒体に対して情報の読み書きの少なくともいずれかの処理を行うカード処理機構と、を備えており、前記用紙搬送経路と前記カード搬送経路の一部を共通経路として構成し、前記用紙搬送経路の出口と前記カード挿入口を分離すると共に、当該カード挿入口近傍にカード挿入検出器を設けて、前記共通経路上に前記ロール紙が存在する状態で、前記カード挿入口に前記カードが挿入されたことを前記カード挿入検出器で検出して、前記共通経路上から前記ロール紙を退避させる用紙退避手段が設けられていることを特徴とするカード処理機能付き印刷装置により達成される。
【手続補正３】
【補正対象書類名】明細書
【補正対象項目名】００１１
【補正方法】変更
【補正の内容】
【００１１】
参考例では、ＰＯＳサーバと、少なくとも１台のＰＯＳ端末、無人端末及びユーザー端末とをネットワークを介して接続したＰＯＳシステムにおいて、
前記ＰＯＳ端末及び無人端末に接続されたプリンタには、サーマルヘッドにより可視情報の記録及び消去が可能な可逆的感熱記録層を備えたカードの可逆的感熱記録層に、ユーザーの購買情報の少なくとも一部と決済番号を可視的に記録する記録手段を備え、前記ユーザー端末、無人端末若しくはＰＯＳ端末からの、ユーザーによる前記決済番号をアクセスキーとした前記ＰＯＳサーバへのアクセスを可能とすることによって達成される。
【手続補正４】
【補正対象書類名】明細書
【補正対象項目名】００１６
【補正方法】変更
【補正の内容】
【００１６】
又、好ましくは、前記参考例のＰＯＳシステムにおいて、前記ＰＯＳ端末若しくは無人端末に接続される印刷装置として、前記請求項１〜５のいずれか１項に記載の印刷装置を用いたことを特徴とする。
この場合は、請求項１〜５の印刷装置を有効にＰＯＳシステムに利用できる。
【手続補正５】
【補正対象書類名】明細書
【補正対象項目名】００１７
【補正方法】変更
【補正の内容】
【００１７】
又、参考例では、ＰＯＳサーバと、少なくとも１台のＰＯＳ端末、無人端末及びユーザー端末とをネットワークを介して接続したＰＯＳシステムのレシート発行方法において、前記ＰＯＳ端末及び無人端末に接続されるプリンタは、サーマルヘッドにより可視情報の記録及び消去が可能な可逆的感熱記録層を備えたカードを処理可能な構成とし、前記ＰＯＳシステムにおけるユーザーの購買に伴うレシートの発行処理時に、前記カードの可逆的感熱記録層に、ユーザーの購買情報の少なくとも一部と決済番号を可視的に記録するステップと、ユーザーの希望に応じてレシートの発行の有無を判断するステップと、ユーザーがレシートの発行を希望する場合には、レシート発行済み情報を前記ＰＯＳサーバに記録して、レシートを発行するステップとを含むことによって達成できる。
【手続補正６】
【補正対象書類名】明細書
【補正対象項目名】００２０
【補正方法】変更
【補正の内容】
【００２０】
又、参考例では、ＰＯＳサーバと、少なくとも１台のＰＯＳ端末、無人端末及びユーザー端末とをネットワークを介して接続したＰＯＳシステムにおけるＰＯＳシステム用プログラムであって、前記ＰＯＳサーバ、ＰＯＳ端末、無人端末及びユーザー端末のいずれかに含まれるコンピュータに、前記参考例における処理を実行させることを特徴とするＰＯＳシステム用プログラムによって達成できる。
【手続補正７】
【補正対象書類名】明細書
【補正対象項目名】００２１
【補正方法】変更
【補正の内容】
【００２１】
本発明のカード処理機能付き印刷装置によれば、ロール紙を搬送する用紙搬送経路とカード型情報記録媒体を搬送するカード搬送経路の少なくとも一部を共通経路として構成することにより、全く別々に用紙搬送経路とカード搬送経路をレイアウトする場合と違って、共通経路がある分だけ搬送経路をコンパクトにレイアウトすることができると共に、部品点数を削減することができるので、カード処理機能付き印刷装置の小型化と製造コスト低減が図れる。
また、参考例のＰＯＳシステムにおいて、カードに可逆的感熱層を備えて、サーマルヘッドで可視的に書込んだデータを繰返し消去・書き込みすることによって、購買情報をプリントアウトするレシートの発行を省略することが可能になり、省資源に寄与することができる。